(57)【要約】【課題】パイロン、特に風力発電設備のパイロンの構造を合理化する。【解決手段】本発明は、タワー、特に風力発電設備に関連するタワーの立設方法に関し、このタワーはセグメントアンカーを備えた基礎を具備してなり、接合要素が基礎の上面から所定量だけ突出している。リングが、基礎の上面にて高さ調整され、位置合わせされ、そして固定される。リングの高さ調整、位置合わせおよび固定によって形成される接合箇所には、シーリング混合物が充填される。このシーリング混合物は凝結させられ、そして下部タワーセグメントが、高さ調整され、位置合わせされ、そして固定されたリングの上に配置されると共に、このリングに対して接合される。【選択図】図１
2010159625.tif 000002
【特許請求の範囲】
【請求項１】
パイロン、特に風力発電設備のパイロンを立設する方法であって、このパイロンはセグメントアンカーを備えた基礎を有し、接合要素が前記基礎の上面から所定量だけ突出しており、
前記基礎の上面にて、リングを高さ調整し、その位置を合わせ、固定するステップと、
前記リングの高さ調整、位置合わせおよび固定によって生じる間隙にグラウティング材を充填するステップと、
前記グラウティング材を凝結させるステップと、
高さが調整され、位置が合わせられ、そして固定された前記リングの上に下部パイロンセグメントを配置して接合するステップと、
を具備することを特徴とする方法。
【請求項２】
コンクリート製部品が前記基礎(１０)として使用されることを特徴とする請求項１に記載の方法。
【請求項３】
セグメントアンカー(１２)を備えた基礎を有するパイロンを具備してなる風力発電設備であって、
前記基礎(１０)の上面から所定距離だけ突出する接合要素(１４)と、
前記基礎の上面において位置合わせされかつ固定されるのに適したものとされた調整リング(１８)と、
を具備してなることを特徴とする風力発電設備。
【請求項４】
前記調整リング(１８)の高さ調整、位置合わせおよび固定によって生じる間隙に充填されるグラウティング材(１７)を具備してなり、
前記グラウティング材(１７)が凝結した後、下部パイロンセグメントが、位置合わせされかつ固定された前記調整リング(１８)の上に配置され、それに接合されてなることを特徴とする請求項３に記載の風力発電設備。
【請求項５】
パイロン、特に風力発電設備のパイロンを立設するための調整リング(１８)の使用法であって、
前記調整リング(１８)の下方に、その位置合わせおよび固定の後、グラウティング材(１７)を充填し、続いて、下部パイロンセグメントが前記調整リング(１８)の上に配置されかつそれに接合される前に、前記グラウティング材(１７)を凝結させることを特徴とする調整リングの使用法。
【発明の詳細な説明】
【技術分野】
【０００１】
本発明は、タワーまたはパイロンを立設するための方法およびそうしたパイロンを備えた風力発電設備に関する。
【背景技術】
【０００２】
特許文献１には基礎システムが開示されている。特許文献２にはコンクリート基礎上に柱を取り付けるための手段が開示されている。特許文献３には、特に風力発電設備のパイロン用の基礎を構築するための方法が開示されている。
【０００３】
従来技術において、特に風力発電設備のパイロンを立設する際、下部パイロンセグメントを、基礎から突出する接合要素の上にベースフランジを用いて配置することが知られている。下部パイロンセグメントは適切に位置合わせ(高さ調整)がなされ、そしてこの位置合わせがなされたポジションに固定される。この場合、下部パイロンセグメントのベースフランジと基礎の上面との間に隙間が生じる。この間隙にはグラウティング材が充填されるが、このグラウティング材は、荷重を加えることを可能としかつパイロンがさらにその上に構築される前に凝結させる必要がある。凝結には確実に２４時間を必要とする。
【０００４】
下部パイロンセグメントを取り扱うには大型クレーンを要する。だが、このクレーンは、グラウティング材が凝結した後、パイロンを構築するのにさらに使用されるだけである。だが、間隙のグラウティングが凝結している間のクレーンの移動は困難であり、コストがかかり、したがって実施されない。したがって、コストのかかるクレーンは停止させられ、２４時間にわたって休止状態となる。
【先行技術文献】
【特許文献】
【０００５】
【特許文献１】米国特許第6,050,038号明細書
【特許文献２】独国特許出願公開第100 45 735号明細書
【特許文献３】独国特許出願公開第102 26 996号明細書
【発明の概要】
【発明が解決しようとする課題】
【０００６】
それゆえ、本発明の目的は、パイロン、特に風力発電設備のパイロンの構造を合理化することである。
【課題を解決するための手段】
【０００７】
この目的は、請求項１に記載されたパイロンの立設方法、請求項３に記載されたパイロンを備える風力発電設備、そして請求項５に記載されたパイロンを立設するための調製リングの使用法によって達成される。
【０００８】
したがって、パイロン、特に風力発電設備のパイロンの立設方法が提供され、このパイロンはセグメントアンカーを備えた基礎を有し、接合要素が所定量だけ基礎の上面から突出している。基礎の上面にて、リングが高さ調整され、位置合わせされ、そして固定される。リングの高さ調整、位置合わせおよび固定によって生じる間隙にはグラウティング材が充填される。グラウティング材を凝結させた後、高さ調整され、位置合わせされ、そして固定されたリングの上には下部パイロンセグメントが配置され、そしてそれはこのリングに対して接合される。この場合、リングは複数のセグメントから形成可能である。
【０００９】
この点に関して、本発明は、重要なのは下部パイロンセクションの高さ調整ではなく、それが本来の場所で正確に位置合わせされるという事実である、という知見に基づく。だが、これはまた調整リングを用いて実現可能である。そうした調整リングは、たとえば車両搭載型クレーンを用いて下部パイロンセクションよりも著しく少ない労力および費用で取り扱うことができるフランジリングに匹敵する。また、調整リングの正確な位置合わせ(高さ調整)は、パイロンセクションに関連する対応する作業よりも簡単である。さらに、調整リングは、より大きな幅および／または厚みの場合、パイロンのフランジよりも低品位の材料から形成できる。パイロンフランジはまた、その幅を削減可能である。このようにして輸送幅のより都合のよい利用が可能である。
【００１０】
位置合わせおよび固定の後、調整リングの下方に公知の手法でグラウティング材を充填でき、この材は凝結可能なものである。だが、この凝結時間の間、(車両搭載型)クレーンは既に他の作業に使用可能であり、一方で、パイロンセクションの取り扱いのために要求されるクレーンは依然として必要でない。
【００１１】
大型クレーンをたとえば風力発電設備のパイロンを立設するために準備状態としなければならないのは、そして続いてセグメントごとにパイロンを比較的速やかに構築できるのは、上記間隙内の材が硬化したときだけである。
【００１２】
パイロンに関する特に合理的な構造は、プレハブ部品、特にコンクリート製部品が基礎として使用される場合に実現できる。それは、構築現場にすぐに設置できるよう届けられ、そして基礎を形成するために接合される。この基礎は、その後直ちに、したがって時間を節約するよう、さらなる使用が可能である。
【図面の簡単な説明】
【００１３】
【図１】パイロンベースの一部の概略断面図である。
【図２ａ】パイロンベースの平面図である。
【図２ｂ】図２ａのパイロンベースの線Ａ‐Ａに沿って取った断面図である。
【図２ｃ】図２ＢのＸ部分の拡大図である。
【図３】パイロンベースの斜視図である。
【発明を実施するための形態】
【００１４】
以下、図面を参照して本発明について説明する。
【００１５】
基礎１０は、プレハブ部品基礎の形態とすることができるが、現場混合コンクリート基礎あるいは供給されたレディーミックスコンクリートから製造された基礎の形態とすることもできる。一つ以上のセグメントアンカー１２が基礎１０に設けられる。このセグメントアンカー１２は、基礎に関する特定の要求に形状および個数に関して適合可能である。ゆえに、たとえば、現場混合コンクリート基礎あるいはレディーミックスコンクリートから形成された基礎に関して、一体であるセグメントアンカーを使用することも可能であり、このセグメントアンカーは補強材として組み込まれる。プレハブ部品基礎の場合、それどころか、複数のセグメントアンカーが使用されるが、これは、その形状に関して部品に適合させられる。複数のセグメントアンカーもまた現場混合コンクリート構造体あるいは供給されるレディーミックスコンクリートから形成された構造体に関して使用可能であることが分かるであろう。
【００１６】
接合要素１４がセグメントアンカー１２に連結される。接合要素１４はネジ付きロッドの形態とすることができ、これは、ナット１５を用いて、セグメントアンカー１２に対して所定の位置に固定される。固定要素１４は、基礎の上面１１から基礎１０の外部に所定の距離だけ突出する。ネジ接合の代わりに溶接接合を使用することも可能である。
【００１７】
一体部材あるいは複数の部材として形成された調整(レベリング)リング１８が続いて基礎の上面１１の上に配置される。調整リング１８は正確に水平にされ、これによってパイロン用の完全に位置合わせされたベースを形成するようになる。
【００１８】
調整リング１８が位置合わせされるとき、間隙１６が、基礎の上面１１と調整リング１８との間に不可避的に生じる。調整リングがその所定のポジションで固定されると直ぐに、間隙１６にはグラウティング材１６が充填される。グラウティング材１７の凝結すなわち硬化後、調整リング１８にはその所望のポジションで荷重を加えることが可能となり、そして下部フランジリング２０を備えた下部パイロンセグメントおよび図示するパイロン壁プレート２２を調整リング１８上に配置することが可能となる。ネジ付きロッド１４が、調整リング１８および下部パイロンセクションの下部フランジリング２０の適当に配置された孔を経て係合し、そしてそれには、下部パイロンセクションを基礎１０に対して調整リング１８によって固定的に接合するために、ナット１５が取り付けられる。
【００１９】
図２ａはパイロンベースの平面図である。図２ｂは図２ａの線Ａ‐Ａに沿って取った断面を示す。図１と同様、ここに示すのは、基礎面１１を備えた基礎１０である。特に、二つのセグメントアンカー１２および四つのネジ付きロッド１４が示されている。Ｘ部分を拡大して図２ｃに示す。この図は実質的に図１に対応している。
【００２０】
図３は、その一部を切り欠いた状態でのパイロンベースの斜視図である。パイロンベースの高さ調整は、図１を参照して説明したように実施されている。
【００２１】
たとえば風力発電設備のパイロンは今や一度に構築できるので、クレーンは迅速なパイロン立設のために一度配備するだけでよく、その時まで、クレーンは他の作業に使用できる。
【００２２】
後方作業も簡素化される。これまで、下部パイロンセクションは、それを申し分なく取り付けることができるようにするため、パイロンの他の部品よりも少なくとも２４時間前に現場に存在しなければならなかった。パイロンの他の部品もまた同時に供給可能であることは明らかである。だが、それらは同時に組み立てることはできず、したがって待ち時間の間は構築現場において余分なスペースを占有する。
【００２３】
本発明の方法は、パイロンセグメントを、ちょうど間に合うよう構築地点に、輸送段階において届けることを可能とすることを意図する。これによって、さらなる積荷移動作業が、さらに詳しく言うと、まず輸送車両から地上の中間保管場所への、続いてその後、そこから設置場所までの積荷移動作業が排除される。それどころか、ちょうど間に合うように届けられたパイロンセグメントは輸送車両から降ろされ、直ちに適所に取り付けられる。
【００２４】
上記手法に関して、グラウティング材が常に(材料に依存する)最低厚みを持つよう充填されなければならないことが保証されるよう配慮すべきである。なぜなら、グラウティング材は、パイロンからの力を基礎に伝達することが求められるからである。充填されたグラウティング材が過度に薄い場合、その層が破損して、深刻なダメージを引き起こすことがある。
【００２５】
上記解決策は、パイロン、特に風力発電設備のパイロンの立設の合理化に関して有益であることが分かっている。他方で、コストおよび材料特性もまた重要事項である。パイロンセグメントの最下端フランジは、パイロンに由来する荷重を支持できるよう、極めて高品質な素材から形成しなければならないことを指摘する必要がある。上記種類のパイロンがコンクリート基礎上に据え付けられる場合、コンクリートは、接続部の二つの側のうちの弱い方である。したがってパイロンフランジは幅が広いものでなければならず、これによって基礎のコンクリートへの過負荷が抑えられる。その結果、下部パイロンセグメントのフランジは、それに関連して使用される鋼材に関して必要以上に大きな幅のものとならざるを得ない。これは、特にそれに関連して使用される鋼材のコストの点から不利であると考えるべきである。
【００２６】
調整リングを介在させたことによって、今や、本発明に従って、下部パイロンセグメントの大きな負荷を受けることができるがコストの高い鋼材と、大きな負荷は受けられない基礎のコンクリートとの間に、一種の移行段部を介在させることができる。したがって、調整リングは、リスクを伴わずに、風力発電設備の荷重を基礎に伝達するのに十分な幅のものとすることができる。他方で、良質なあるいは廉価な鋼を上記位置で使用でき、したがって下部パイロンセグメントのフランジは相応に幅狭とすることができ、したがって材料およびコストに関して費用を低減できる。
【００２７】
さらなる利点は、調整リングがセグメントの形態で形成され、したがってセグメント状の様式で積み重ねたり、輸送したりできる場合に享受される。調整リングが大径のものであっても、本発明によれば、それをセグメント状の様式で積み重ねることができるので輸送の観点から問題とはならない。今や、ベースフランジは特別な寸法とされた材とすることができるので、下部パイロンセグメントはより幅の小さな、より狭いベースフランジを有する。したがって輸送幅もまた相応に低減できる。
【００２８】
たとえば風力発電設備のパイロンの、陸地への立設は上記の例で説明した。沖合いでの、すなわち水上でのあるいは海上での、風力発電設備のパイロンの立設もまた、上記調整リング、および下部パイロンセグメントを適所に取り付ける前の対応する高さ調整作業によって実施できる。
【符号の説明】
【００２９】
１０  基礎
１１  基礎上面
１２  セグメントアンカー
１４  接合要素(ネジ付きロッド)
１５  ナット
１６  間隙
１７  グラウティング材
１８  調整(レベリング)リング
２０  下部フランジリング
２２  パイロン壁プレート
【図１】
2010159625.tif 000003
【図２ａ】
2010159625.tif 000004
【図２ｂ】
2010159625.tif 000005
【図２ｃ】
2010159625.tif 000006
【図３】
2010159625.tif 000007